(57)【特許請求の範囲】
【請求項１】
再記録可能な光ディスクのトラックに対してデータ記録時の最小単位であるパケット単位でデータを記録するデータ記録手段と、該手段によって記録されたデータの目次情報のみを消去することによってデータを擬似的に消去するデータ擬似消去手段とを備えた光ディスク記録装置において、
光ディスクのトラックに最初のパケットを記録するとき、そのトラックの全領域を消去する手段を設けたことを特徴とする光ディスク記録装置。
【請求項２】
再記録可能な光ディスクのトラックに対してパケット単位でデータを記録するデータ記録手段と、該手段によって記録されたデータの目次情報のみを消去することによってデータを擬似的に消去するデータ擬似消去手段とを備えた光ディスク記録装置において、
前記データ擬似消去手段によってデータを擬似的に消去した光ディスクの識別情報を記憶する手段と、該手段に記憶された識別情報の光ディスクのトラックに最初のパケットを記録するとき、そのトラックの全領域を消去する手段とを設けたことを特徴とする光ディスク記録装置。
【請求項３】
再記録可能な光ディスクのトラックに対してパケット単位でデータを記録するデータ記録手段と、該手段によって記録されたデータの目次情報のみを消去することによってデータを擬似的に消去するデータ擬似消去手段とを備えた光ディスク記録装置において、
前記データ擬似消去手段によってデータを擬似的に消去した光ディスクのトラックに最初のパケットを記録するとき、そのトラックにデータが記録されているか否かを判断する手段と、該手段による判断によってデータが記録されていたときにのみトラックの全領域を消去する手段とを設けたことを特徴とする光ディスク記録装置。
【発明の詳細な説明】
【０００１】
【発明の属する技術分野】
この発明は、ＣＤ−ＲＷディスク等の再記録可能な光ディスクにデータを記録するＣＤ−ＲＷドライブ等の光ディスク記録装置に関する。
【０００２】
【従来の技術】
コンパクトディスク（ＣＤ）等の光ディスクは、記録面に形成されたピットと呼ばれる小孔によってデータが記録されており、そのピットの有無と長さによってデータの内容が表わされている。
【０００３】
ところで、ＣＤ−ＲＷディスク（ＣＤ−Ｒｅｗｒｉｔａｂｌｅディスク）等の再記録可能な光ディスクの記録面は、レーザ光の照射による加熱によって結晶状態が変化する物質を用いており、データ記録時にはレーザ光を照射してピットを形成し、データ消去時にはピットにレーザ光を照射して元の状態に戻している。したがって、再記録可能な光ディスクでは、データの記録と消去を何度も繰り返すことができる。
【０００４】
再記録可能な光ディスクにデータを記録する方式として、記録面に形成したトラックを複数のパケットに分けて記録するパケットライト方式がある。このパケットライト方式では、データの記録時の最小単位をパケットと呼び、任意の位置で記録を行なうことはできない。
【０００５】
また、パケット内は先頭から順にリンクブロック（ＬＩＮＫ  ＢＬＯＣＫ），ランインブロック（ＲＵＮ−ＩＮ  ＢＬＯＣＫ），ユーザデータブロック（ＵＳＥＲ  ＤＡＴＡ  ＢＬＯＣＫ），ランアウトブロック（ＲＵＮ−ＯＵＴ  ＢＬＯＣＫ）で構成されており、ランアウトブロックとリンクブロックとが接する部分がパケットの境界になる。さらに、パケットのユーザデータブロックにおけるユーザデータの最小単位は１ブロックであり、この１ブロックはアクセス可能な最小単位である。
【０００６】
従来、再記録可能な光ディスクにデータを記録する光ディスク記録装置では、記録面の全面に対してブランク（Ｂｌａｎｋ）処理を施して元に戻す復元機能（Ｂｌａｎｋ機能）と共に、記録面に記録されたデータの目次情報を消去することにより、光ディスク上の全データを擬似的に消去するデータ擬似消去機能（Ｍｉｎｉｍａｌｌｙ  Ｂｌａｎｋ機能）を備えたものがあった。
【０００７】
すなわち、上記データ擬似消去機能によれば、目次情報である中間記録領域（ＰＭＡ）のデータと、第１セッションのリードインエリアとリードアウトエリアのデータと、第１トラックのプレギャップのデータを消去すれば済むので、光ディスク上のデータを最小時間で消去してしまうことができる。
【０００８】
しかし、上記データ擬似消去機能には次のような問題があった。
パケットライト方式によってデータが記録されたトラックには、そのトラックの全領域に対してどれくらいの領域にデータが記録済みかを示す目次情報が記録されないので、新たにパケットを追記するときには、トラック内のどの位置までデータが記録されているかを検索する必要がある。
【０００９】
すなわち、トラック中のデータ書き込み済み領域と未書き込み領域との境界を検出し、その境界の次を記録可能位置（Ｎｅｘｔ  Ｗｒｉｔａｂｌｅ  Ａｄｄｒｅｓｓ：ＮＷＡ）に決定し、そのＮＷＡからパケットを追記している。
【００１０】
【発明が解決しようとする課題】
しかしながら、従来の光ディスク記録装置では、データの擬似的消去の後にパケットライト方式でデータを記録し、さらに新たなパケットを追記するときの記録可能位置の検索時、データが未書き込みであるはずの領域にデータ擬似消去機能の処理を施す前に記録されたデータが残っているために、記録可能位置（ＮＷＡ）を正しく検出することができなくなり、誤ったフォーマットでデータを記録してしまうという問題があった。
【００１１】
すなわち、上述したデータ擬似消去機能によってデータを消去した光ディスクでは、データの目次情報は消去されているがデータ自体は記録されたままであり、記録可能位置の検索時、誤ってデータ擬似消去前のデータの境界を記録可能位置として検出してしまうためである。
【００１２】
この発明は上記の点に鑑みてなされたものであり、データを擬似消去した光ディスクに正しいフォーマットでパケットを追記できるようにすることを目的とする。
【００１３】
【課題を解決するための手段】
この発明は上記の目的を達成するため、再記録可能な光ディスクのトラックに対してデータ記録時の最小単位であるパケット単位でデータを記録するデータ記録手段と、その手段によって記録されたデータの目次情報のみを消去することによってデータを擬似的に消去するデータ擬似消去手段を備えた光ディスク記録装置において、光ディスクのトラックに最初のパケットを記録するとき、そのトラックの全領域を消去する手段を設けたものである。
【００１４】
また、再記録可能な光ディスクのトラックに対してパケット単位でデータを記録するデータ記録手段と、その手段によって記録されたデータの目次情報のみを消去することによってデータを擬似的に消去するデータ擬似消去手段を備えた光ディスク記録装置において、上記データ擬似消去手段によってデータを擬似的に消去した光ディスクの識別情報を記憶する手段と、その手段に記憶された識別情報の光ディスクのトラックに最初のパケットを記録するとき、そのトラックの全領域を消去する手段を設けるとよい。
【００１５】
さらに、再記録可能な光ディスクのトラックに対してパケット単位でデータを記録するデータ記録手段と、その手段によって記録されたデータの目次情報のみを消去することによってデータを擬似的に消去するデータ擬似消去手段を備えた光ディスク記録装置において、上記データ擬似消去手段によってデータを擬似的に消去した光ディスクのトラックに最初のパケットを記録するとき、そのトラックにデータが記録されているか否かを判断する手段と、その手段による判断によってデータが記録されていたときにのみトラックの全領域を消去する手段を設けるとよい。
【００１６】
この発明の請求項１の光ディスク記録装置は、再記録可能な光ディスクのトラックに対してデータ記録時の最小単位であるパケット単位でデータを記録し、その記録されたデータの目次情報のみを消去することによってデータを擬似的に消去する。そして、光ディスクのトラックに最初のパケットを記録するとき、そのトラックの全領域を消去するので、光ディスクのトラックにパケットを追記するとき、誤ってデータの擬似的消去によって残ったデータの境界を記録可能位置として検出することを防止することができ、正しい記録可能位置にパケットを追記することができる。
【００１７】
また、この発明の請求項２の光ディスク記録装置は、再記録可能な光ディスクのトラックに対してパケット単位でデータを記録し、その記録されたデータの目次情報のみを消去することによってデータを擬似的に消去し、そのデータを擬似的に消去した光ディスクの識別情報を記憶する。そして、上記識別情報が記憶された光ディスクのトラックに最初のパケットを記録するとき、そのトラックの全領域を消去するので、全面にブランク処理を施した光ディスクやブランク処理を施していない光ディスクには、記録可能位置を誤って検出する恐れが有るデータが無いので、トラックの全領域の消去という不必要な処理を施さなくて済み、パケットの追記に時間がかからないようにすることができる。
【００１８】
さらに、この発明の請求項３の光ディスク記録装置は、再記録可能な光ディスクのトラックに対してパケット単位でデータを記録し、その記録されたデータの目次情報のみを消去することによってデータを擬似的に消去する。そして、データを擬似的に消去した光ディスクのトラックに最初のパケットを記録するとき、そのトラックにデータが記録されているか否かを判断し、その判断によってデータが記録されていたときにのみトラックの全領域を消去するので、光ディスクのトラックにパケットを追記するとき、トラック内に記録可能位置を誤って検出する恐れが有るデータが無いときには、トラックの全領域の消去という不必要な処理を施さなくて済み、パケットの追記に時間がかからないようにすることができる。
【００１９】
【発明の実施の形態】
以下、この発明の実施の形態を図面に基づいて具体的に説明する。
図２は、この発明の一実施形態である光ディスク記録装置の構成を示すブロック図である。この光ディスク記録装置は、ＣＤ−ＲＷ等の再記録可能な光ディスク（以下「光ディスク」と称する）１を回転させるスピンドルモータ（以下「モータ」と称する）２と、半導体レーザを搭載して光ディスク１の記録領域にレーザ光Ｌを照射する光ピックアップ３と、その光ピックアップ３をその内部に設けられているシークモータと共同して光ディスク１の半径方向に移動させる粗動モータ４を備えている。
【００２０】
また、モータ２の回転制御を行なう回転制御系５と、粗動モータ４の駆動制御を行なう粗動モータ制御系６と、光ピックアップ３の制御を行なう光ピックアップ制御系７と、光ピックアップ３によって読み取ったデータの信号及び光ディスク１の記録領域に書き込むデータの信号を送受する信号処理系８を備えている。
【００２１】
さらに、ＣＰＵ，ＲＯＭ，及びＲＡＭ等からなるマイクロコンピュータで実現され、上記制御系５〜７及び処理系８の制御と共に、外部インタフェース１０を介してホストコンピュータを接続し、光ディスク１から読み取ったデータをホストコンピュータへ送出し、ホストコンピュータから受け取ったデータを光ディスク１に書き込む処理と、この発明に係る処理を行なうコントローラ９を備えている。
【００２２】
この光ディスク記録装置は、コントローラ９の制御によってデータの記録時には、光ディスク１の記録領域に光ピックアップ３から記録パワーでレーザ光Ｌを照射し、光ディスク１上に各種データを記録する。
【００２３】
また、光ディスク１のデータ記録済領域に光ピックアップ３から記録パワーでレーザ光Ｌを照射し、光ディスク１上のデータを消去する。
さらに、コントローラ９の制御によってデータの再生時には、光ディスク１の記録領域に光ピックアップ３によって再生パワーでレーザ光Ｌを照射し、その反射光に基づいて記録領域に記録されているデータを再生する。
【００２４】
上記光ディスク１は、記録面の記録層にレーザ光Ｌの照射による加熱で結晶構造が変化する物質を用いており、光ピックアップ３の半導体レーザからレーザ光Ｌを照射すると、そのレーザ光Ｌの加熱によって記録層の結晶構造が変化してピットが形成され、そのピットの有無と長さを変えて各種のデータが記録される。
また、ピットを形成した部分に再度レーザ光Ｌを照射すると、データ記録時に変化した結晶状態が加熱によって元に戻り、ピットが無くなってデータが消去される。
【００２５】
次に、この光ディスク装置が再記録可能な光ディスクの記録領域にデータを記録するときのフォーマットについて説明する。
図３は再記録可能な光ディスクの記録領域のフォーマットを示す図であり、図４は図３に示したトラックのフォーマットを示す図である。
【００２６】
この光ディスク記録装置は、光ディスク１の記録領域を、図３に示すように、内周側からパワーキャリブレーションエリア（Ｐｏｗｅｒ  Ｃａｌｉｂｒａｔｉｏｎ  Ａｒｅａ：ＰＣＡ）２０，中間記録領域（Ｐｒｏｇｒａｍ  ＭｅｍｏｒｙＡｒｅａ：ＰＭＡ）２１，リードインエリア２２，複数のトラック２３，リードアウトエリア２４にフォーマットし、図４に示すように、パケットライト方式によって光ディスク１の各トラック２３を複数のパケット３０に分けてユーザデータを記録する。
【００２７】
ＰＣＡ２０は、レーザ光Ｌのパワーの調整を行なうためのテスト記録をする領域である。各トラック２３はユーザデータを記録する領域である。リードインエリア２２とリードアウトエリア２４はトラック２３の先頭アドレスと終了アドレス等の目次情報（Ｔａｂｌｅ  ｏｆ  Ｃｏｎｔｅｎｔｓ：ＴＯＣ）と光ディスクに関する各種の情報を記録する領域である。
【００２８】
ＰＭＡ２１は、トラック２３の目次情報を一時的に保持するために記録する領域である。各トラック２３は、トラックの情報を記録するプレギャップ２５と、ユーザデータを記録するユーザデータ部２６からなる。
各パケット３０はリンクブロック３１，ランインブロック３２，ユーザデータブロック３３，ランアウトブロック３４から構成される。
【００２９】
すなわち、上記コントローラ９等が、再記録可能な光ディスクのトラックに対してデータ記録時の最小単位であるパケット単位でデータを記録するデータ記録手段と、その手段によって記録されたデータの目次情報のみを消去することによってデータを擬似的に消去するデータ擬似消去手段と、光ディスクのトラックに最初のパケットを記録するとき、そのトラックの全領域を消去する手段の機能を果たす。
【００３０】
次に、この光ディスク記録装置における光ディスクのデータの擬似的消去とパケットの記録の処理について説明する。
図１は、その処理を示すフローチャートである。この処理は、ステップ（図中「Ｓ」で示す）１でデータ消去の要求があり、ステップ２でデータ擬似的消去（Ｍｉｎｉｍａｌｌｙ  Ｂｌａｎｋ）による光ディスクの全面の消去要求があると、ステップ３で光ディスクの中間管理領域（ＰＭＡ）のデータと、第１セッションのリードイン（Ｌｅａｄ−ｉｎ）エリアとリードアウト（Ｌｅａｄ−ｏｕｔ）エリアのデータと、第１トラックのプレギャップのデータを消去し、ステップ４でデータ消去を終了する。
【００３１】
次に、ステップ５でデータ擬似的消去後のトラックに初めてパケットライトによるデータ書き込み要求があると、ステップ６でデータ書き込みの指定がされたトラックの全領域に対してデータの消去を行ない、ステップ７で指定トラックにパケットライトでデータをライトし、ステップ８でパケットライトを終了する。
【００３２】
このようにして、光ディスクのデータを擬似的消去した後のトラックに最初のパケットを記録するとき、そのトラックの全領域を消去するので、光ディスクのトラックにパケットを追記するとき、誤ってデータの擬似的消去によって残ったデータの境界を記録可能位置として検出することを防止することができる。
したがって、光ディスクのデータを擬似的消去した後でも、正しい記録可能位置にパケットを追記することができる。
【００３３】
ところで、上述の光ディスク記録装置では、全面をブランク（Ｂｌａｎｋ）してデータを消去した光ディスクや、ブランクを行なっていない光ディスクに対してもパケットの追記の前にトラックの全領域を消去してしまう。
【００３４】
このような光ディスクは、記録可能位置を誤って検出する恐れが有るデータが無く、トラックの全領域を消去しなくても記録可能位置を正しく検出できるので、トラックの消去は無用であり、そのような無用な処理を行なうとパケットの追記に時間がかかってしまう。
【００３５】
そこで、光ディスクがデータを擬似的消去したディスクか否かを判別するための識別情報を何らかの方法で記憶し、その識別情報に基づいてデータを擬似的消去した後の光ディスクのみにパケットの追記前にトラックの全領域を消去する処理を施すようにすれば、全面をブランクした光ディスクやブランクを行なっていない光ディスクにトラックの全領域を消去する処理を行なわないようにすることができる。
【００３６】
例えば、上記識別情報として光ディスクが持っている固有値のディスクＩＤを用い、コントローラ９にＥＥＲＯＭ等の不揮発性メモリを設け、その不揮発性メモリにデータを擬似的消去した光ディスクのディスクＩＤを記録する。
【００３７】
そして、光ディスクに対するパケットライト要求があったとき、その光ディスクのディスクＩＤがコントローラ９の不揮発性メモリに記録されているか否かをチェックし、記録されていればデータを擬似的消去した光ディスクと判別することができ、記録されていなければデータを擬的似消去していない光ディスクと判別することができる。
【００３８】
したがって、光ディスクのあるトラックに初めてパケットライト要求があったとき、その光ディスクのディスクＩＤとコントローラ９の不揮発性メモリに記録されているディスクＩＤを照合し、その光ディスクがデータを擬似的消去したものか否かを判断し、データを擬似的消去したものならばパケットライトを行なう前に当該トラックの全領域を消去する。また、データを擬似的消去したものでなければ直ちにパケットライトを実行する。
【００３９】
すなわち、上記光ディスク記録装置において、上記コントローラ９等が、上記データ擬似消去手段によってデータを擬似的に消去した光ディスクの識別情報を記憶する手段と、その手段に記憶された識別情報の光ディスクのトラックに最初のパケットを記録するとき、そのトラックの全領域を消去する手段の機能を果たすようにするとよい。
【００４０】
次に、データを擬似的消去した光ディスクとデータを擬似的消去していない光ディスクに対するパケットライト処理について説明する。
図５は、その処理を示すフローチャートである。この処理は、ステップ（図中「Ｓ」で示す）１１でデータ消去の要求があり、ステップ１２でデータ擬似消去（Ｍｉｎｉｍａｌｌｙ  Ｂｌａｎｋ）による光ディスクの全面の消去要求があると、ステップ１３で光ディスクのＰＭＡのデータと、第１セッションのリードインエリアとリードアウトエリアのデータと、第１トラックのプレギャップのデータを消去し、ステップ１４でディスクＩＤを不揮発性メモリに記憶し、ステップ１５でデータ消去を終了する。
【００４１】
その後、ステップ１６で光ディスクに対するパケットライトによるデータ書き込み要求があると、ステップ１７でその光ディスクのディスクＩＤが不揮発性メモリに記憶されているか否かを判断して、記憶されていればステップ１８でデータ書き込みの指定がされたトラックの全領域に対してデータの消去を行ない、ステップ１９で指定トラックにパケットライトでデータをライトし、ステップ２０でパケットライトを終了する。
【００４２】
一方、ステップ１７の判断で光ディスクのディスクＩＤが不揮発性メモリに記憶されていなければ、ステップ１９で指定トラックにパケットライトでデータをライトし、ステップ２０でパケットライトを終了する。
【００４３】
このようにして、不揮発性メモリにディスクＩＤが記憶された光ディスクのトラックに最初のパケットを記録するとき、そのトラックの全領域を消去し、全面にブランク処理を施した光ディスクやブランク処理を施していない光ディスクには、記録可能位置を誤って検出する恐れが有るデータが無いので、トラックの全領域の消去という不必要な処理を施さなくて済み、パケットの追記に時間がかからないようにすることができる。
【００４４】
ところで、上述の光ディスク記録装置では、トラックにデータが残っていなくてもパケットライト前に全領域を消去するという無駄な処理が入ってしまう。
そこで、パケットライト前にトラック内にデータが残っているか否かをチェックし、データが残っているときにのみトラックの全領域を消去するようにすれば、無駄な処理を回避してパケットライトの処理時間を短縮することができる。
【００４５】
例えば、トラックのプレギャップのデータの有無に基づいてトラック内にデータが残っているか否かを判断し、データが残っているときにのみ全領域の消去を行なう。但し、第１トラックのプレギャップはデータの擬似的消去で無くなっているので、第１トラックについては全領域の消去を行ない、第２トラック以降についてデータが残っているときにのみ全領域の消去を行なう。
【００４６】
すなわち、上記光ディスク記録装置において、上記コントローラ９等が、上記データ擬似消去手段によってデータを擬似的に消去した光ディスクのトラックに最初のパケットを記録するとき、そのトラックにデータが記録されているか否かを判断する手段と、その手段による判断によってデータが記録されていたときにのみトラックの全領域を消去する手段の機能を果たすようにするとよい。
【００４７】
次に、光ディスクのトラックにデータの擬似的消去でデータが残っているときと残っていないときのパケットライト処理について説明する。
図６は、その処理を示すフローチャートである。
この処理は、第２トラック以降において、ステップ（図中「Ｓ」で示す）２１でパケットライト要求があると、ステップ２２でプレギャップをチェックし、ステップ２３でデータが残っているか否かを判断して、残っていればステップ２４でデータ書き込みの指定がされたトラックの全領域に対してデータの消去を行ない、ステップ２５で指定トラックにパケットライトでデータをライトし、ステップ２６でパケットライトを終了する。
【００４８】
一方、ステップ２３の判断でプレギャップにデータが残っていなければ、ステップ２５で指定トラックにパケットライトでデータをライトし、ステップ２６でパケットライトを終了する。
【００４９】
このようにして、データを擬似的に消去した光ディスクのトラックに最初のパケットを記録するとき、そのトラックのプレギャップにデータが記録されているか否かを判断し、その判断によってプレギャップにデータが記録されていたときにのみトラックの全領域を消去するので、トラック内に記録可能位置を誤って検出する恐れが有るデータが無いときには、トラックの全領域の消去という不必要な処理を施さなくて済み、パケットの追記に時間がかからないようにすることができる。
【００５０】
【発明の効果】
以上説明してきたように、この発明による光ディスク記録装置によれば、データを擬似消去した光ディスクに正しいフォーマットでパケットを追記することができる。
【図面の簡単な説明】
【図１】この実施形態の光ディスク記録装置における光ディスクのデータの擬似的消去とパケット記録処理を示すフローチャートである。
【図２】この発明の一実施形態である光ディスク記録装置の構成を示すブロック図である。
【図３】再記録可能な光ディスクの記録領域のフォーマットを示す図である。
【図４】図３に示したトラックのフォーマットを示す図である。
【図５】この実施形態の光ディスク装置におけるデータを擬似的消去した光ディスクと擬似的消去していない光ディスクに対するパケットライト処理を示すフローチャートである。
【図６】この実施形態の光ディスク装置における光ディスクのトラックにデータの擬似的消去でデータが残っているときと残っていないときのパケットライト処理を示すフローチャートである。
【符号の説明】
１：再記録可能な光ディスク  ２：スピンドルモータ
３：光ピックアップ          ４：粗動モータ
５：回転制御系              ６：粗動モータ制御系
７：光ピックアップ制御系    ８：信号処理系
９：コントローラ    １０：外部インタフェース
２０：ＰＣＡ        ２１：中間記録領域（ＰＭＡ）
２２：リードインエリア    ２３：トラック
２４：リードアウトエリア  ２５：プレギャップ
２６：ユーザデータ部      ３０：パケット
３１：リンクブロック      ３２：ランインブロック
３３：ユーザデータブロック
３４：ランアウトブロック
【図１】
0003782208.tif 000002
【図２】
0003782208.tif 000003
【図３】
0003782208.tif 000004
【図４】
0003782208.tif 000005
【図５】
0003782208.tif 000006
【図６】
0003782208.tif 000007